(57)【特許請求の範囲】
【請求項１】
床面上に立てた状態で設置されるパネル体と、
前記パネル体の上部から上方に向けて延びるよう設けられた延長パネルと、
前記パネル体の上部に間隔をあけて複数箇所に設けられ、前記延長パネルを前記パネル体に固定するパネル固定部と、
前記パネル体の上面から下方に向かって凹入して形成されるとともに、前記延長パネルの板厚よりも大きな幅を有して前記パネル体の上部に沿って配設され、前記延長パネルをガイドする溝状のパネルガイド部と、
を備え、
前記延長パネルの下端部において、前記パネル固定部によって保持されていない部分は、前記パネルガイド部の底面との間に上下方向の隙間をあけて前記パネルガイド部内に配置されていることを特徴とする間仕切り装置。
【請求項２】
前記パネル体には、前記隙間を通してオプション部材が装着されることを特徴とする請求項１に記載の間仕切り装置。
【請求項３】
前記パネルガイド部は、前記パネル体の上部に設けられ、前記延長パネルを挟んで一方の側と他方の側とに、前記延長パネルの板厚よりも大きな間隔で配置されて、互いに隣接する前記パネル固定部の間で前記延長パネルをガイドすることを特徴とする請求項１または２に記載の間仕切り装置。
【請求項４】
前記パネル体の上部において互いに隣接する前記パネル固定部の間に、前記延長パネルの板厚方向への変位に応じて弾性変形可能なパネル保持部が設けられていることを特徴とする請求項１から３のいずれか一項に記載の間仕切り装置。
【請求項５】
床面上に立てた状態で設置され、その上部から上方に向けて延びるよう延長パネルが装着可能とされたパネル体であって、
前記パネル体の上部に間隔をあけて複数箇所に設けられ、前記延長パネルを前記パネル体に固定するパネル固定部と、
前記パネル体の上面から下方に向かって凹入して形成されるとともに、前記延長パネルを挟んで一方の側と他方の側とに、前記延長パネルの板厚よりも大きな間隔で配置されて、互いに隣接する前記パネル固定部の間で前記延長パネルをガイドする溝状のパネルガイド部と、
を備え、
前記延長パネルの下端部において、前記パネル固定部によって保持されていない部分は、前記パネルガイド部の底面との間に上下方向の隙間をあけて前記パネルガイド部内に配置されていることを特徴とするパネル体。
【発明の詳細な説明】
【技術分野】
【０００１】
本発明は、間仕切り装置、パネル体に関する。
【背景技術】
【０００２】
オフィスや公共施設、商業施設等の空間においては、施設内に形成された大空間の一部を小空間に区画することによって、空間利用における自由度を高めることが求められている。そこで、空間内に、間仕切り装置（パーティション）を設けることが広く行われている。間仕切り装置を設けることにより周囲からの視線や音をある程度遮ることができる。この間仕切り装置により空間の一部を仕切り、各執務者の固有スペースを設けたり、打合わせ等のためのスペースを設けることができる。
【０００３】
さらに、間仕切り装置よりも上方まで空間を仕切る必要がある場合には、間仕切り装置上に、さらに上方に延びる延長パネルを取り付けることがある（特許文献１，２参照）。
特許文献１においては、延長パネルは、両端部近傍が、それぞれパネル下端部を挟持する金具によって間仕切り装置に固定されている。
また、特許文献２においては、間仕切り装置上に係合溝を有した部材を設け、係合溝に延長パネルの下端部を差し込むことによって、延長パネルを保持する構成が開示されている。
【先行技術文献】
【特許文献】
【０００４】
【特許文献１】特許第５３２９８９７号公報
【特許文献２】特許第４３５８７７２号公報
【発明の概要】
【発明が解決しようとする課題】
【０００５】
ところで、例えば、間仕切り装置が、平面視した状態で湾曲している場合、延長パネルも、間仕切り装置に合わせて湾曲させる必要がある。このように湾曲させた延長パネルを、特許文献１，２に開示されたような構成で間仕切り装置上に取り付ける場合、延長パネルを挟持する金具や係合溝の形状が、延長パネルの形状に精度良く合っている必要がある。金具や係合溝の形状が、延長パネルの形状に合っていなければ、延長パネルを金具や係合溝に差し込むことが困難となる。
さらに、特に延長パネルを樹脂で形成した場合、平面視湾曲した延長パネルは、周囲の温度によって伸縮するため、これにともなって延長パネルの湾曲度合いも変動し得る。したがって、工場等で延長パネルを高精度に製作しても、搬入した現場の気温等によって延長パネルが変形し、その取付ができないことがある。
そこでなされた本発明の目的は、延長パネルの取付を容易かつ確実に行うことのできる間仕切り装置、パネル体を提供することである。
【課題を解決するための手段】
【０００６】
本発明は、上記課題を解決するため、以下の手段を採用する。
この発明に係る間仕切り装置は、床面上に立てた状態で設置されるパネル体と、前記パネル体の上部から上方に向けて延びるよう設けられた延長パネルと、前記パネル体の上部に間隔をあけて複数箇所に設けられ、前記延長パネルを前記パネル体に固定するパネル固定部と、前記パネル体の上面から下方に向かって凹入して形成されるとともに、前記延長パネルの板厚よりも大きな幅を有して前記パネル体の上部に沿って配設され、前記延長パネルをガイドする溝状のパネルガイド部と、を備え、前記延長パネルの下端部において、前記パネル固定部によって保持されていない部分は、前記パネルガイド部の底面との間に上下方向の隙間をあけて前記パネルガイド部内に配置されていることを特徴とする。
【０００７】
このように、延長パネルは、パネル体の上面に沿って間隔をあけた複数箇所で、パネル固定部によってパネル体に固定される。この延長パネルは、温度変化による伸縮や、加工誤差等により変形し得る。パネルガイド部は、延長パネルの板厚よりも大きな幅を有してパネル体の上部に沿って配設されたパネル配設部で、延長パネルをガイドするので、延長パネルが変形しても、パネルガイド部がパネル配設部において延長パネルをガイドした状態を維持できる。
また、このように構成することで、ガイド溝の幅方向の一方の側の溝壁面と他方の溝壁面とが、延長パネルの板厚よりも大きな間隔で配置され、延長パネルをガイドするパネルガイド部として機能する。
そして、延長パネルの下端部をガイド溝内に挿入することで、パネル体と延長パネルとの間に隙間が生じることがなく、間仕切り装置としての遮蔽性を高めることができる。
【０００８】
また、この発明に係る間仕切り装置は、前記パネル体には、前記隙間を通してオプション部材が装着されてもよい。
【０００９】
また、この発明に係る間仕切り装置は、前記パネルガイド部は、前記パネル体の上部に設けられ、前記延長パネルを挟んで一方の側と他方の側とに、前記延長パネルの板厚よりも大きな間隔で配置されて、互いに隣接する前記パネル固定部の間で前記延長パネルをガイドしてもよい。
このように構成することで、延長パネルは、パネル体の上面に沿って間隔をあけた複数箇所で、パネル固定部によってパネル体に固定される。互いに隣接するパネル固定部の間においては、延長パネルの温度変化による伸縮や、加工誤差等により、延長パネルの湾曲度合いが変化し得る。互いに隣接するパネル固定部間で延長パネルをガイドするパネルガイド部は、延長パネルを挟んで一方の側と他方の側とで、延長パネルの板厚よりも大きな間隔で配置されているので、延長パネルの湾曲度合いが変化しても、パネルガイド部の一方の側と他方の側との間で延長パネルをガイドした状態を維持できる。
【００１２】
また、この発明に係る間仕切り装置は、上記間仕切り装置において、前記パネル体の上部において互いに隣接する前記パネル固定部の間に、前記延長パネルの板厚方向への変位に応じて弾性変形可能なパネル保持部が設けられているようにしてもよい。
このように、互いに隣接するパネル固定部の間にパネル保持部を設けることで、延長パネルを、より安定的にパネル体上に設置することができる。パネル保持部は、弾性変形することによって、温度変化や加工誤差等による延長パネルの板厚方向への変位を許容しつつ、パネルを保持し続けることができる。
【００１３】
この発明に係るパネル体は、床面上に立てた状態で設置され、その上部から上方に向けて延びるよう延長パネルが装着可能とされたパネル体であって、前記パネル体の上部に間隔をあけて複数箇所に設けられ、前記延長パネルを前記パネル体に固定するパネル固定部と、前記パネル体の上面から下方に向かって凹入して形成されるとともに、前記延長パネルを挟んで一方の側と他方の側とに、前記延長パネルの板厚よりも大きな間隔で配置されて、互いに隣接する前記パネル固定部の間で前記延長パネルをガイドする溝状のパネルガイド部と、を備え、前記延長パネルの下端部において、前記パネル固定部によって保持されていない部分は、前記パネルガイド部の底面との間に上下方向の隙間をあけて前記パネルガイド部内に配置されていることを特徴とする。
このようなパネル体によれば、パネル体の上部に延長パネルを装着することができる。装着する延長パネルは、パネル体の上面に沿って間隔をあけた複数箇所で、パネル固定部によってパネル体に固定される。互いに隣接するパネル固定部間で延長パネルをガイドするパネルガイド部は、延長パネルを挟んで一方の側と他方の側とで、延長パネルの板厚よりも大きな間隔で配置されているので、延長パネルの湾曲度合いが変化しても、パネルガイド部の一方の側と他方の側との間で延長パネルをガイドした状態を維持できる。
【発明の効果】
【００１６】
この発明に係る間仕切り装置、パネル体によれば、延長パネルの取付を容易かつ確実に行うことが可能となる。
【図面の簡単な説明】
【００１７】
【図１】本実施形態における間仕切り装置の一例を示す斜視図である。
【図２】本実施形態におけるパネル体の構成を示す斜視展開図である。
【図３】パネル体の板厚方向中間部における半断面図である。
【図４】パネル体の端部を示す上面図である。
【図５】パネル体の直線部の構造を示す断面図である。
【図６】パネル体のコーナー部の構造を示す断面図である。
【図７】パネル基材の表面に沿って設けられたクッション材を示す断面図であり、（ａ）は表皮材を非装着の状態におけるクッション材の断面図、（ｂ）は表皮材を装着した状態におけるクッション材の断面図である。
【図８】延長パネルを設けたパネル体の上面図である。
【図９】パネル固定部の部品構成を示す斜視展開図である。
【図１０】パネル固定部の斜視図である。
【図１１】パネル固定部によりパネル体に固定された延長パネルを示す断面図である。
【図１２】溝内に設けられたパネル保持部により保持された延長パネルを示す断面図である。
【図１３】延長パネルの下端部と溝の溝底面との位置関係を示す断面図である。
【図１４】パネル体を複数枚並べて設置する場合において、互いに隣接するパネル体上に設けた延長パネルどうしを連結する構成を示す平面図である。
【図１５】延長パネルとパネル体の溝底面との隙間に設けたブラケットを備えるオプション部材が装着された間仕切り装置の一例を示す断面図である。
【図１６】延長パネルとパネル体の溝底面との隙間に設けたブラケットを備えるオプション部材の一例を示す断面図である。
【図１７】図１６に示したオプション部材の正面図である。
【図１８】上記実施形態の変形例を示す図であり、延長パネルの下端部の一部のみを溝内に設けた構成を示す正面図である。
【図１９】上記実施形態の変形例を示す図であり、パネルガイド部を複数のピンによって形成した例を示す平面図である。
【発明を実施するための形態】
【００１８】
以下、添付図面を参照して、本発明による間仕切り装置、間仕切り装置の設置方法を実施するための形態を説明する。
【００１９】
（間仕切り装置）
図１は、本実施形態における間仕切り装置の一例を示す斜視図である。
図１に示すように、間仕切り装置１０は、床面上に設置されたパネル体１１と、パネル体１１上に設けられた延長パネル１００と、からなる。
【００２０】
（パネル体）
図２は、本実施形態におけるパネル体１１の構成を示す斜視展開図である。図３は、パネル体１１の板厚方向中間部における半断面図である。図４は、パネル体１１の端部を示す上面図である。図５は、パネル体１１の直線部の構造を示す断面図である。図６は、パネル体１１のコーナー部の構造を示す断面図である。
図２に示すように、間仕切り装置１０を構成する各パネル体１１は、パネル基材（基材）１２と、パネル基材１２の両面に沿って設けられたクッション材（軟性材）１３と、パネル基材１２およびクッション材１３を覆う表皮材１４と、固定部材３０と、を備えている。
【００２１】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２２】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の孔１５ｈが複数千鳥状に組み合わされたハニカム構造とされている。
【００２３】
（フレーム）
図２、図３に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００２４】
図４〜図６に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
このようにして、パネル基材１２は、その外周側面に沿って連続し、パネル基材１２の内方に向けて凹んだ溝２５を有している。
【００２５】
ここで、図３に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００２６】
Ｌ字状のブラケット２２の第一プレート部２２ａ、第二プレート部２２ｂには、雌ネジ部２９が形成されている。またブラケット２２の第一プレート部２２ａに沿う枠材２１Ａまたは２１Ｂの基部２１ｅと、第二プレート部２２ｂに沿う枠材２１Ｃまたは２１Ｄの基部２１ｅには、それぞれ、雌ネジ部２９に対向した位置に、貫通孔２８が形成されている。
【００２７】
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。
このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００２８】
なおここで、図２では、パネル体１１が平面板状であるかのように示しているが、パネル体１１は、図１に示したように、平面視した状態で湾曲している。したがって、フレーム２０の上下の枠材２１Ｃ，２１Ｄは、パネル体１１の形状に合わせて湾曲している。
【００２９】
図５、図６に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３０】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００３１】
図７は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図２に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００３２】
図５、図７に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図７（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００３３】
（表皮材）
図５、図７（ｂ）に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
【００３４】
また、図５、図６に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５の内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
これらクッション材１３及び表皮材１４が、表皮構造を構成している。
【００３５】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００３６】
ここで、図２に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００３７】
図５に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００３８】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００３９】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。
【００４０】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００４１】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための装着溝３５が形成されている。
【００４２】
図３に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
【００４３】
図６に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００４４】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００４５】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００４６】
図３に示すように、パネル体１１において、間仕切り装置１０の端部、つまり他のパネル体１１が連結されない端部においては、コーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図６に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図３に示すように、第一直線状部４１Ａの下端部には、突起片４３が下方に向けて突出形成されている。この突起片４３が、直線部固定部材３０Ｓの上端部において、連結プレート部３２と突条３４との間の装着溝３５（図５参照）に挿入されている。
【００４７】
また、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００４８】
（支持脚）
上記したようなパネル体１１の下部両端部のコーナー部には、それぞれ、支持脚５０が取付可能とされている。この支持脚５０は、床面に接地することで、パネル体１１を床面上に立設させる。
支持脚５０は、パネル基材１２の下部端部１２Ｐで溝２５内に収容される下部支持部５１と、下部支持部５１の一端から上方に延び、パネル基材１２の側部下端部１２Ｑで溝２５内に収容される側部支持部５２と、下部支持部５１よりも下方に延びる支持脚部５３と、を一体に備えている。
【００４９】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、雌ネジ部２９および貫通孔２８にねじ込まれるようになっている。これにより、支持脚５０が、パネル体１１に固定される。
【００５０】
支持脚部５３は、下部支持部５１よりも下方に延び、その下端部に、高さ調整ネジ４９がねじ込み可能とされている。
【００５１】
複数枚のパネル体１１を並べて設置する場合、互いに隣接するパネル体１１，１１どうしは、図示しない連結金具等によって、例えばその上端部どうし、下端部どうしを連結することができる。
【００５２】
（延長パネル）
図８は、延長パネルを設けたパネル体の上面図である。
図１、図８に示すように、延長パネル１００は、パネル体１１の上面１１ｕに沿って連続し、パネル体１１から上方に向けて延びるよう設けられている。この延長パネル１００は、例えば、アクリル樹脂、ポリカーボネート樹脂等からなる樹脂板や、金属板等、可撓性を有した材料で形成されている。この延長パネル１００は、透明なもの、フロスト加工等によって半透明とされたもの、あるいは不透明なもののいずれであってもよい。
【００５３】
このような延長パネル１００は、その下端部１００ｂが、パネル体１１の上面１１ｕから下方に向かって凹入して形成され、溝状のパネルガイド部（ガイド溝）１３０に挿入されている。図５に示すように、パネルガイド部１３０は、パネル体１１の上面１１ｕにおいて、直線部固定部材３０Ｓが設けられた部分においては、側部プレート部３１，３１を溝幅方向両側の溝壁部１３０ａとし、突条３４，３４を溝底面１３０ｂとして形成されている。図６に示すように、パネルガイド部１３０は、パネル体１１の上面１１ｕにおいて、コーナー部固定部材３０Ｃが設けられた部分においては、側部プレート部３６，３６を溝幅方向両側の溝壁部１３０ａとし、コーナーキャップ４０を溝底面１３０ｂとして形成されている。このようにして、パネルガイド部１３０は、ガイド溝２５の内側に設けられている。
【００５４】
図８に示すように、このパネルガイド部１３０は、延長パネル１００を挟んで一方の側の溝壁部１３０ａと他方の側の溝壁部１３０ａとが、延長パネル１００の板厚よりも大きな間隔で配置されている。これにより、パネルガイド部１３０は、延長パネル１００の板厚よりも大きな溝幅を有している。このパネルガイド部１３０内が、パネル配設部とされている。
【００５５】
延長パネル１００は、パネルガイド部１３０内に配置されたパネル固定部１１０と、パネル保持部１２０とによってパネル体１１に固定されている。
【００５６】
図９は、パネル固定部の部品構成を示す斜視展開図である。図１０は、パネル固定部の斜視図である。図１１は、パネル固定部によりパネル体に固定された延長パネルを示す断面図である。
パネル固定部１１０は、パネル体１１の上面１１ｕに沿って間隔をあけた複数箇所、例えば延長パネル１００の両端部にそれぞれ設けられている。図９〜図１１に示すように、パネル固定部１１０は、ベース部材１１１と、第一カバー１１２と、第二カバー１１３と、を備えている。
【００５７】
ベース部材１１１は、略Ｌ字状で、延長パネル１００の両端部の下方においてパネルガイド部１３０の溝底面１３０ｂを形成するコーナーキャップ４０に対向する基部１１１ａと、基部１１１ａの一端から上方に向けて延びる延出部１１１ｂと、を一体に備える。基部１１１ａには、貫通孔１１１ｈが形成されている。このベース部材１１１は、貫通孔１１１ｈ、およびコーナーキャップ４０の第二直線状部４１Ｂに形成されたネジ孔１１８にボルト１１５を挿通させて締結することで、コーナーキャップ４０に固定されている。ここで、ベース部材１１１は、一本のボルト１１５により固定されているため、後述する延長パネル１００の湾曲度合いが変動して延長パネル１００から力が加わった場合等には、ベース部材１１１は、ボルト１１５の軸周りに回動できるようになっている。
延出部１１１ｂの基部１１１ａ側には、ボルト１１５の頭部１１５ｈを逃げる開口部１１１ｃが形成されている。
また、延出部１１１ｂには、後述する第一カバー１１２のボス部１１２ｄが挿入される挿入孔１１１ｄが貫通形成されている。
【００５８】
第一カバー１１２は、ベース部材１１１の延出部１１１ｂの一方の側に配置されている。第一カバー１１２は、延出部１１１ｂの一方の側を覆うカバー部１１２ａと、カバー部１１２ａの外周部からベース部材１１１側に延びる外周壁部１１２ｂと、外周壁部１１２ｂの下端部に形成された突起部１１２ｃと、を一体に備えている。
外周壁部１１２ｂは、カバー部１１２ａをベース部材１１１の延出部１１１ｂに押し付けたときに、延出部１１１ｂの外周側を囲うように形成されている。
また、カバー部１１２ａには、ベース部材１１１の延出部１１１ｂに形成された挿入孔１１１ｄに挿入されるボス部１１２ｄが、ベース部材１１１側に向けて突出形成されている。このボス部１１２ｄには、ネジ穴１１２ｎが形成されている。
【００５９】
第二カバー１１３は、ベース部材１１１の延出部１１１ｂの他方の側に配置されている。第二カバー１１３は、延出部１１１ｂの他方の側を覆うカバー部１１３ａと、カバー部１１３ａの外周部からベース部材１１１側に延びる外周壁部１１３ｂと、外周壁部１１３ｂの下端部に形成された突起部１１３ｃと、を一体に備えている。
カバー部１１３ａの下端部には、ベース部材１１１の基部１１１ａが挿入される凹部１１３ｄが形成されている。また、カバー部１１３ａには、第一カバー１１２のネジ穴１１２ｎに対向する位置に、ボルト挿通孔１１３ｈが形成されている。このボルト挿通孔１１３ｈにボルト１１４を挿入し、延長パネル１００に形成された挿通孔（図示無し）を通し、第一カバー１１２のネジ穴１１２ｎに締結することで、ベース部材１１１と、第一カバー１１２と、第二カバー１１３と、が一体に連結される。
【００６０】
第二カバー１１３は、第一カバー１１２と対向したときに、突起部１１３ｃと突起部１１２ｃとが互いに突き当たる。この状態で、第一カバー１１２の外周壁部１１２ｂと、第二カバー１１３の外周壁部１１３ｂとが、間隔をあけて対向するように形成されている。
このように、ベース部材１１１および第一カバー１１２と、第二カバー１１３との間で、延長パネル１００の下部を挟み込むことで、パネル固定部１１０は延長パネル１００を固定する。ここで、延長パネル１００の下部には、第一カバー１１２の突起部１１２ｃ、および第二カバー１１３の突起部１１３ｃとの干渉を避ける逃げ凹部１０６が形成されている。
【００６１】
図１２は、溝内に設けられたパネル保持部により保持された延長パネルを示す断面図である。
図８に示すように、パネル保持部１２０は、パネルガイド部１３０内において、互いに隣接するパネル固定部１１０，１１０の間に設けられている。図１２に示すように、パネル保持部１２０は、幅方向中央部に収容溝１２１が形成された断面Ｕ字状である。この収容溝１２１に、延長パネル１００の下端部１００ｂが挿入される。
パネル保持部１２０は、ゴム系材料等からなり、延長パネル１００の板厚方向への変位に応じて弾性変形可能とされている。
【００６２】
このようにして、延長パネル１００は、その両端部がパネル固定部１１０によって固定されるとともに、その中間部がパネル保持部１２０によって保持される。延長パネル１００は、互いに隣接するパネル固定部１１０，１１０の間で、パネルガイド部１３０によりガイドされる。
互いに隣接するパネル固定部１１０，１１０の間においては、延長パネル１００は、温度変化による伸縮や、加工誤差等により、延長パネル１００の湾曲度合いが変化し得る。互いに隣接するパネル固定部１１０，１１０間で延長パネル１００をガイドするパネルガイド部１３０としてのパネルガイド部１３０は、延長パネル１００を挟んで一方の側の溝壁部１３０ａと他方の側の溝壁部１３０ａとが、延長パネル１００の板厚よりも大きな間隔で配置されている。したがって、パネルガイド部１３０を形成するパネルガイド部１３０内で、延長パネル１００の湾曲度合いが変化しても、延長パネル１００をガイドした状態を維持できる。
【００６３】
図１３は、延長パネルの下端部と溝の溝底面との位置関係を示す断面図である。
図１３に示すように、延長パネル１００は、パネル固定部１１０、パネル保持部１２０によって保持されていない部分においては、パネルガイド部１３０内で、パネルガイド部１３０の溝底面１３０ｂよりも上方に間隔をあけて隙間Ｓｐが配置されている。
【００６４】
図１４は、パネル体を複数枚並べて設置する場合において、互いに隣接するパネル体上に設けた延長パネルどうしを連結する構成を示す平面図である。
図１４に示すように、パネル体１１を複数枚並べて設置する場合において、互いに隣接するパネル体１１，１１（図１参照）上に設けた延長パネル１００，１００どうしを連結するには、ジョイント金具１５０を用いても良い。ジョイント金具１５０は、その幅方向両側にそれぞれ設けられ、延長パネル１００の端部が挿入される挿入溝１５０ｂを有したパネルサポート部１５０ａと、パネルサポート部１５０ａ，１５０ａどうしを連結する連結部１５０ｃとが一体に形成され、全体として平断面視略Ｈ字状をなしている。このようなジョイント金具１５０は、両側の挿入溝１５０ｂに、延長パネル１００，１００の端部を挿入することで、互いに隣接するパネル体１１，１１上に設けた延長パネル１００，１００どうしを連結する。
【００６５】
（間仕切り装置の設置方法）
上記したような間仕切り装置１０を設置するには、まず、図１に示すように、パネル体１１を床面上に立てた状態で設置する。
延長パネル１００は、平板状の状態で、間仕切り装置１０の組立現場に搬入する。そして、延長パネル１００を、パネル体１１の平面視形状に合わせて湾曲させる。そして、延長パネル１００を、パネルガイド部１３０を形成するパネルガイド部１３０内に挿入する。
そして、延長パネル１００を、複数箇所のパネル固定部１１０によってパネル体１１に固定する。
【００６６】
（オプション部材）
図１５は、延長パネルとパネル体の溝底面との隙間に設けたブラケットを備えるオプション部材の一例を示す断面図である。
上記したように、この間仕切り装置１０においては、延長パネル１００とパネルガイド部１３０の溝底面を形成する固定部材３０との間に隙間Ｓｐが形成されているので、この隙間Ｓｐを通して、オプション部材２００Ａを装着することができる。
図１５に示すように、オプション部材２００Ａとしては、例えば、フック部材２２０を有し、上着やバッグ等を係止することのできる係止フックがある。このようなオプション部材２００Ａは、パネル体１１の上端部に係止可能なブラケット２１０を有している。
ブラケット２１０は、パネル体１１の上端部のパネルガイド部１３０の溝壁部１３０ａ，１３０ａおよび溝底面１３０ｂの内周形状に沿うＵ字状部２１０ａと、Ｕ字状部２１０ａから幅方向両側に展開し、パネル体１１のクッション材１３や表皮材１４とに沿う湾曲プレート部２１０ｂ，２１０ｃと、有している。一方の湾曲プレート部２１０ｂは、その下端部に、他方の湾曲プレート部２１０ｃから離間する側に湾曲した返し部２１０ｄを有している。
また、フック部材２２０は、他方の湾曲プレート部２１０ｃに取り付けられている。
【００６７】
このようなオプション部材２００Ａのブラケット２１０は、湾曲プレート部２１０ｂ，２１０ｃの間隔が、パネル体１１の厚さよりも小さく設定されている。これにより、ブラケット２１０をパネル体１１の上方からパネル体１１に押し込むと、クッション材１３が押しつぶされ、湾曲プレート部２１０ｂ，２１０ｃによってパネル体１１を挟み込むようになっている。
【００６８】
図１６は、延長パネルとパネル体の溝底面との隙間に設けたブラケットを備えるオプション部材の一例を示す断面図である。図１７は、図１６に示したオプション部材の正面図である。
図１６、図１７に示すように、オプション部材２００Ｂとしては、例えば、ホワイトボード等を係止するフック部材２３０を有したものとすることもできる。
この場合、オプション部材２００は、図１４に示したのと同様のブラケット２１０を、横方向に間隔をあけて二つ備えている。これらブラケット２１０は、横方向に延びる連結プレート２４０によって一体に連結されている。そして、連結プレート２４０の上端部にフック部材２３０が形成されている。フック部材２３０は、連結プレート２４０の上端部から外方に向けて延びる受け板部２３０ａと、受け板部２４０ａの先端から上方に延びる立ち上がり壁部２３０ｂとを有した断面Ｌ字状をなしている。このフック部材２３０に、ホワイトボード等を係止することができる。
【００６９】
上述した間仕切り装置１０によれば、間仕切り装置１０は、床面上に立てた状態で設置され、平面視した状態で少なくとも一部が湾曲したパネル体１１と、パネル体１１の上面１１ｕに沿い、パネル体１１から上方に向けて延びるよう設けられた延長パネル１００と、パネル体１１の上面１１ｕに沿って間隔をあけた複数箇所に設けられ、延長パネル１００をパネル体１１に固定するパネル固定部１１０と、パネル体１１の上面１１ｕに設けられ、延長パネル１００を挟んで一方の側と他方の側とに、延長パネル１００の板厚よりも大きな間隔で配置されて、互いに隣接するパネル固定部１１０の間で延長パネル１００をガイドするパネルガイド部１３０を形成するパネルガイド部１３０と、を備える。
【００７０】
このように、延長パネル１００は、パネル体１１の上面１１ｕに沿って間隔をあけた複数箇所で、パネル固定部１１０によってパネル体１１に固定される。互いに隣接するパネル固定部１１０の間においては、延長パネル１００の温度変化による伸縮や、加工誤差等により、延長パネル１００の湾曲度合いが変化し得る。互いに隣接するパネル固定部１１０間で延長パネル１００をガイドするパネルガイド部１３０としてのパネルガイド部１３０は、延長パネル１００を挟んで一方の側と他方の側とが、延長パネル１００の板厚よりも大きな間隔で配置されている。これにより、パネルガイド部１３０内で延長パネル１００の湾曲度合いが変化しても、延長パネル１００をガイドした状態を維持できる。
したがって、間仕切り装置１０が平面視湾曲している場合であっても、延長パネル１００の取付を容易かつ確実に行うことが可能となる。
【００７１】
また、上述した間仕切り装置１０の設置方法によれば、平面視した状態で少なくとも一部が湾曲したパネル体１１を床面上に立てた状態で設置する工程と、延長パネル１００を、パネル体１１の平面視形状に合わせて湾曲させつつ、互いに隣接するパネル固定部１１０の間で、パネルガイド部１３０を形成するパネルガイド部１３０の一方の側と他方の側との間に、延長パネル１００を挿入する工程と、延長パネル１００を複数箇所のパネル固定部１１０によってパネル体１１に固定する工程と、を備える。
【００７２】
このように構成することで、パネル体１１に合わせて延長パネル１００を湾曲させてパネル体１１上に設置することができる。したがって、延長パネル１００は、組立現場で湾曲させればよく、組立現場までの運搬時等においては、平板状の状態とすることができる。したがって、延長パネル１００の運搬や保管に、手間がかかったりスペースを要するのを抑えることができる。
【００７３】
また、互いに隣接するパネル固定部１１０の間に、延長パネル１００の板厚方向への変位に応じて弾性変形可能なパネル保持部１２０が設けられている。
このように、互いに隣接するパネル固定部１１０の間にパネル保持部１２０を設けることで、延長パネル１００を、より安定的にパネル体１１上に設置することができる。パネル保持部１２０は、弾性変形することによって、温度変化や加工誤差等による、延長パネル１００の板厚方向への変位を許容しつつ、パネル体１１を保持し続けることができる。
【００７４】
また、延長パネル１００とパネルガイド部１３０の溝底面を形成する固定部材３０との間に隙間Ｓｐが形成されているので、この隙間Ｓｐを通して、パネル体１１の一方の側と他方の側とに連続するブラケット２１０を配置し、オプション部材２００Ａ，２００Ｂ等を安定して取り付けることができる。
【００７５】
さらに、上述したパネル体１１によれば、パネル基材１２およびクッション材１３を覆う表皮材１４が、パネル体１１の外周部において、パネル基材１２の外周縁部を回り込んで溝２５の内側に巻き込まれている。このため、パネル体１１の外周部は、パネル基材１２が露出することなく、表皮材１４で覆われることになる。
さらに、表皮材１４は、溝２５内で固定部材３０により固定されるため、固定部材３０がパネル体１１の外周部に露出するのを抑えることができる。
これにより、パネル体１１の外観を、柔軟で有機的な印象とすることができる。
【００７６】
さらに、上述したパネル体１１においては、クッション材１３の外周端部１３ｅが、表皮材１４とともに、パネル基材１２の外周縁部で溝２５の内側に巻き込まれている。このように、表皮材１４だけでなく、表皮材１４によって覆われるクッション材１３も、パネル基材１２の外周縁部を回り込んで溝２５の内側に巻き込まれているので、パネル体１１の外周部が、より柔軟な印象の外観となる。
【００７７】
（実施形態の変形例）
図１８は、上記実施形態の変形例を示す図であり、延長パネルの下端部の一部のみを溝内に設けた構成を示す正面図である。
上記実施形態では、延長パネル１００の下端部１００ｂの全体を、パネル体１１のパネルガイド部１３０内に収容するようにしたがこれに限らない。例えば、図１８に示すように、パネル体１１の両端部は、パネル体１１上に設けたパネル固定部１１０によって固定され、パネル固定部１１０，１１０間の一部のみで、延長パネル１００の下端部１００ｂをパネルガイド部１３０内に収容するようにしてもよい。
【００７８】
図１９は、上記実施形態の変形例を示す図であり、パネルガイド部を複数のピンによって形成した例を示す平面図である。
上記実施形態では、パネルガイド部１３０として、パネル体１１の上面に形成したパネルガイド部１３０を用いたが、これに限らない。
例えば、図１９に示すように、パネル体１１の上面１１ｕに、パネル体１１の厚さ方向に間隔をあけて、延長パネル１００を挟んで一方の側と他方の側とに、それぞれ複数本のガイドピン１８０からなる列を、パネルガイド部１３０として設けるようにしてもよい。ガイドピン１８０は、延長パネル１００を挟んで一方の側と他方の側とで、それぞれ延長パネル１００が連続する方向に間隔をあけて複数本が設けられている。そして、延長パネル１００を挟んで一方の側のガイドピン１８０の列と、他方の側のガイドピン１８０の列との間隔を、延長パネル１００の板厚よりも大きくなるように設置する。この場合には、一方の側のガイドピン１８０の列と他方の側のガイドピン１８０の列とで形成される空間が、パネル配設部とされている。
【００７９】
（その他の実施形態）
なお、本発明は、図面を参照して説明した上述の各実施形態に限定されるものではなく、その技術的範囲において様々な変形例が考えられる。
【００８０】
例えば、上記実施形態では、平板状の延長パネル１００を湾曲させてパネル体１１の上部に装着するようにしたが、パネル体１１の平面形状に合わせて予め湾曲させた延長パネル１００を、パネル体１１の上部に装着するようにしてもよい。この場合においても、延長パネル１００の湾曲度合いが、当初の設計通りの湾曲度合いから変化しても、延長パネル１００をパネルガイド部１３０でガイドした状態でパネル体１１に装着することができる。もちろん、延長パネル１００の湾曲度合いが、当初の設計通りにパネル体１１の湾曲度合いに一致したままであっても、延長パネル１００をパネルガイド部１３０でガイドした状態でパネル体１１に装着することができる。
【００８１】
また、パネル体１１が平面視湾曲していない場合であっても、上記実施形態と同様の構成により延長パネル１００をパネル体１１上に設置することが可能である。
【００８２】
また、パネル固定部１１０、パネル保持部１２０は、所要の機能を発揮することができるのであれば、いかなる構成であっても良い。また、パネル保持部１２０は、パネル固定部１１０，１１０間に複数個を配置しても良い。さらに、パネル保持部１２０は省略しても良い。
例えば、パネル固定部１１０のベース部材１１１は、貫通孔１１１ｈ、およびコーナーキャップ４０の第二直線状部４１Ｂに形成されたネジ孔１１８にボルト１１５を挿通させて締結するようにしたが、これに限らない。例えば、コーナーキャップ４０の第二直線状部４１Ｂに形成されたボルト挿通孔４４に挿通させたボルト４５を一旦取り外す。このボルト４５を、パネル固定部１１０のベース部材１１１の貫通孔１１１ｈ、コーナーキャップ４０の第二直線状部４１Ｂのボルト挿通孔４４に挿通させ、さらに貫通孔２８を通して雌ネジ部２９に締結させる。このようにして、ベース部材１１１を、コーナーキャップ４０とともに、共締めしてもよい。
【００８３】
また、例えば、上記実施形態では、パネル体１１の構造を示したが、いかなる構造のものであってもよい。例えば、クッション材１３および表皮材１４の外周端部１３ｅ，１４ｅが、パネル基材１２を構成する各枠材２１Ａ，２１Ｂ，２１Ｃ，２１Ｄの側壁部２１ｆを回り込んで、溝２５内に巻き込まれている。しかし、クッション材１３を、パネル基材１２の外周寸法よりも小さくして、表皮材１４のみを溝２５内に巻き込むようにしてもよい。
さらに、上記実施形態で示したような表皮構造は、パネル基材１２の両面に形成するとは限らず、パネル基材１２の一面側にのみ形成するようにしてもよい。
【００８４】
加えて、上記実施形態では、クッション材１３、表皮材１４、凹部１７を備えるようにしたが、これらは必須の構成ではない。
これ以外にも、本発明の主旨を逸脱しない限り、上記実施の形態で挙げた構成を取捨選択したり、他の構成に適宜変更したりすることが可能である。
【符号の説明】
【００８５】
１０  間仕切り装置
１１  パネル体
１１ｕ  上面
１２  パネル基材（基材）
１３  クッション材（軟性材）
１４  表皮材
２１ｆ  側壁部
２５  溝
１００  延長パネル
１００ｂ  下端部
１１０  パネル固定部
１２０  パネル保持部
１３０  パネルガイド部（ガイド溝）
２００Ａ，２００Ｂ  オプション部材
２１０  ブラケット
【図１】
0006470540.tif 000002
【図２】
0006470540.tif 000003
【図３】
0006470540.tif 000004
【図４】
0006470540.tif 000005
【図５】
0006470540.tif 000006
【図６】
0006470540.tif 000007
【図７】
0006470540.tif 000008
【図８】
0006470540.tif 000009
【図９】
0006470540.tif 000010
【図１０】
0006470540.tif 000011
【図１１】
0006470540.tif 000012
【図１２】
0006470540.tif 000013
【図１３】
0006470540.tif 000014
【図１４】
0006470540.tif 000015
【図１５】
0006470540.tif 000016
【図１６】
0006470540.tif 000017
【図１７】
0006470540.tif 000018
【図１８】
0006470540.tif 000019
【図１９】
0006470540.tif 000020